【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
呼吸治療装置の患者インタ−フェイスのガス洗い流しを自動的に制御するための装置において、
可変排気面積を有するベントアセンブリであって、前記可変排気面積は、前記ベントアセンブリの１つまたは複数の開口によって画定されており、前記ベントアセンブリは、呼気ガスを換気するために、患者インターフェイスに付随的に設けられている、ベントアセンブリと、
前記ベントアセンブリの前記１つまたは複数の開口を操作するアクチュエータと、
を備えており、
前記可変排気面積は、複数の開位置に設定されるように構成され、該複数の開位置は、異なるベント流れ面積をもたらすようになっており、
前記可変排気面積は、重なり合う開口によって画定されている装置。
【請求項２】
プロセッサを備える制御装置をさらに備えており、前記制御装置は、前記アクチュエータに連結されており、前記制御装置は、前記ベントアセンブリの前記排気面積を変化させるように前記アクチュエータを作動させるように、構成されている請求項１に記載の装置。
【請求項３】
前記制御装置は、前記可変排気面積の治療のための設定値と前記可変排気面積の快適さのための設定値との間で切り換えられるように、構成されている請求項２に記載の装置。
【請求項４】
前記制御装置は、前記可変排気面積の設定値を含む快適さのための設定値を入力するためのユーザーインターフェイスを有するように構成されている請求項２または３のいずれか１つに記載の装置。
【請求項５】
前記快適さのための設定値は、湿度設定値、圧力設定値、および温度設定値の１つまたは複数をさらに含んでいる請求項３に記載の装置。
【請求項６】
前記制御装置は、患者換気の程度を測定し、前記患者換気の程度の関数として、前記可変排気面積を調整するように、構成されている請求項２〜５のいずれか１つに記載の装置。
【請求項７】
前記可変排気面積は、もし前記患者換気の程度が閾値を満たすかまたはそれを超える場合、減少するようになっている請求項６に記載の装置。
【請求項８】
前記患者換気の程度は、不安定性指数を含んでいる請求項６または７のいずれか１つに記載の装置。
【請求項９】
前記不安定性指数は、換気の移動窓標準偏差、中枢性無呼吸指数、中枢性低呼吸指数、中枢性無呼吸―低呼吸指数、持続性無呼吸−低呼吸指数、および呼吸障害指数の少なくとも１つを含んでいる請求項８に記載の装置。
【請求項１０】
前記制御装置は、患者流れ信号および前記可変排気面積の位相ロック調整からチェーン・ストークス呼吸サイクルを検出し、前記位相ロックによる再呼吸サイクルを制御するように、構成されている請求項２〜９のいずれか１つに記載の装置。
【請求項１１】
前記制御装置は、流れ発生器の作動を制御するようにさらに構成されている請求項２〜１０のいずれか１つに記載の装置。
【請求項１２】
前記制御装置は、意図しない漏れの有無を検出し、前記意図しない漏れの有無の検出に基づいて、前記排気面積を変化させるように制御するように、構成されている請求項２〜１１のいずれか１つに記載の装置。
【請求項１３】
前記制御装置は、前記意図しない漏れの存在の検出に応じて、前記排気面積を閉じるようになっている請求項１２に記載の装置。
【請求項１４】
前記制御装置は、前記意図しない漏れの存在の検出に応じて、前記排気面積を開き、マスク圧力を大気圧まで低下させるようになっている請求項１２または１３のいずれか１つに記載の装置。
【請求項１５】
前記制御装置は、前記意図しない漏れの存在の連続した検出に応じて、前記排気面積を開閉するようになっている請求項１２〜１４のいずれか１つに記載の装置。
【請求項１６】
前記制御装置は、前記意図しない漏れの定量化の関数として、前記排気面積を変化させるようになっている請求項１２〜１５のいずれか１つに記載の装置。
【請求項１７】
前記制御装置は、前記定量化の値と閾値との比較に基づいて、前記排気面積を減少させるようになっている請求項１６に記載の装置。
【請求項１８】
前記制御装置は、睡眠状態を検出し、前記睡眠状態の検出に基づいて、前記排気面積を変化させるように制御するように、構成されている請求項２に記載の装置。
【請求項１９】
前記制御装置は、前記睡眠状態の検出に応じて、前記排気面積の周期的な変動を開始するようになっている請求項１８に記載の装置。
【請求項２０】
前記制御装置は、睡眠の不在の検出に応じて、略一定の排気面積を保持するようになっている請求項１８または１９のいずれか１つに記載の装置。
【請求項２１】
前記制御装置は、呼吸疾患を検出し、前記呼吸疾患の検出に基づいて、前記排気面積を変化させるように制御するように、構成されている請求項２〜２０のいずれか１つに記載の装置。
【請求項２２】
前記検出した呼吸疾患は、中枢性無呼吸または中枢性低呼吸を含んでおり、前記制御装置は、前記中枢性無呼吸または中枢性低呼吸の検出に基づいて、前記排気面積を減少させるように制御するように、構成されている請求項２１に記載の装置。
【請求項２３】
前記制御装置は、中枢性無呼吸または中枢性低呼吸の不在のさらなる検出に基づいて、前記排気面積を増大させるように制御するように、構成されている請求項２２に記載の装置。
【請求項２４】
前記制御装置は、検出した患者呼吸に同期して、前記排気面積を変化させるように制御するようになっている請求項２〜２３のいずれか１つに記載の装置。
【請求項２５】
前記制御装置は、圧力の大きさの関数として、前記排気面積を変化させるように制御するように構成されている請求項２〜２４のいずれか１つに記載の装置。
【請求項２６】
前記制御装置は、前記排気面積を通る流れの大きさの関数として、前記排気面積を変化させるように制御するように構成されている請求項２〜２５のいずれか１つに記載の装置。
【請求項２７】
前記制御装置は、前記排気面積のベント流れが患者流れを反映することを可能にするように、前記排気面積を変化させるように制御するように構成されている請求項２〜２６のいずれか１つに記載の装置。
【請求項２８】
前記制御装置は、患者流れの程度の関数として、前記排気面積を変化させるように制御するように構成されている請求項２〜２７のいずれか１つに記載の装置。
【請求項２９】
前記制御装置は、再呼吸される量の計算値の関数として、前記排気面積を変化させるように制御するように構成されている請求項２〜２８のいずれか１つに記載の装置。
【請求項３０】
前記ベントアセンブリは、入れ子になった第１および第２の構造体を備えており、前記構造体の各々は、前記重なり合う開口を有している請求項１〜２９のいずれかに記載の装置。
【請求項３１】
前記入れ子になった第１および第２の構造体は、入れ子になった第１および第２の円筒構造体または第１および第２の円錐構造体である請求項３０に記載の装置。
【請求項３２】
前記第１の円筒構造体は、前記円筒構造体の長さに沿って延在するコイル溝を備えており、前記コイル溝は、コイルを備えている請求項３０または３１のいずれか１つに記載の装置。
【請求項３３】
前記第２の円筒構造体は、磁化されている請求項３０〜３２のいずれか１つに記載の装置。
【請求項３４】
前記第１の円筒構造体は、その長さに沿って長手方向に分割された２分割体から形成されており、各２分割体は、コイル溝を備えている請求項３０〜３３のいずれか１つに記載の装置。
【請求項３５】
前記第１の円筒構造体は、その長さに沿って長手方向に分割された３分割体から形成されており、各３分割体は、コイル溝を備えている請求項３０〜３３のいずれか１つに記載の装置。
【請求項３６】
前記開口からなる開通路は、一組の溝を備えている請求項１〜３５のいずれか１つに記載の装置。
【請求項３７】
前記ベントアセンブリは、入れ子になった第１および第２の構造体を備えており、前記構造体の各々は、前記重なり合う開口からなる開通路を有しており、前記アクチュエータは、モーターと前記第１の構造体に連結された誘導コイルとを備えており、前記構造体は、前記第１の構造体の回転によって、前記重なり合う開口の大きさを調整するように、構成されている請求項３０〜３６のいずれか１つに記載の装置。
【請求項３８】
前記アクチュエータは、ボイスコイルおよび磁石の１つまたは複数を含んでいる請求項１〜３６のいずれか１つに記載の装置。
【請求項３９】
前記アクチュエータは、空圧ピストンを含んでいる請求項１〜３６のいずれか１つに記載の装置。
【請求項４０】
前記アクチュエータは、モーターを含んでいる請求項１〜３６のいずれか１つに記載の装置。
【請求項４１】
前記アクチュエータは、圧電モーターである請求項４０に記載の装置。
【請求項４２】
前記アクチュエータは、誘導コイルを含んでいる請求項１〜３６のいずれか１つに記載のシステム。
【請求項４３】
前記ベントアセンブリは、浮動開口部分を備えている請求項１〜４２のいずれか１つに記載の装置。
【請求項４４】
前記浮動開口部分は、柔軟材料から構成されている請求項４３に記載の装置。
【請求項４５】
前記ベントアセンブリは、発泡体ベント部分を備えている請求項１〜４４のいずれか１つに記載の装置。
【請求項４６】
前記発泡体は、その長さに沿って可変有効多孔率を有している請求項４５に記載の装置。
【請求項４７】
前記ベントアセンブリは、第１および第２のプレートを備えている請求項１〜２９のいずれか１つに記載の装置。
【請求項４８】
前記ベントアセンブリの前記可変排気面積を常開位置に戻すように構成されたバネ機構をさらに備えている請求項１〜４７のいずれか１つに記載の装置。
【請求項４９】
前記バネ機構は、トーションバネを含んでいる請求項４８に記載の装置。
【請求項５０】
前記ベントアセンブリは、吸気および呼気中に排気流れを可能にするように構成されている請求項１〜４９のいずれか１つに記載の装置。